【事件の表示】
　平成　５年特許願第２０８２８７号「倍角パターン表示装置」拒絶査定不服審判事件〔平成　７年　２月１４日出願公開、特開平　７−　４４１５３〕について、次のとおり審決する。
【結　論】
　本件審判の請求は、成り立たない。
【理　由】
１．手続きの経緯／本願発明
  本願は、平成５年７月３０日の出願であって、その請求項１乃至請求項５に係る発明は、平成１４年７月２４日付け手続補正書によって補正された明細書及び図面の記載からみて、その特許請求の範囲の請求項１乃至請求項５に記載された次のとおりのものと認める。
「【請求項１】
　所定数のコモン電極とセグメント電極からなり、所定の文字、記号及び図形等に関する通常パターンを空白行を挟んで少なくとも２行分表示可能な表示手段と、
　前記通常パターンを表示するための通常表示用パターンと、該通常表示用パターンと同じドット構成からなる表示用パターンであって上下あるいは左右の少なくとも一方向に複数個組み合せて前記通常パターンと同一の前記所定の文字、記号及び図形等に関する倍角パターンを表示することができる倍角表示用パターンとを記憶するパターン記憶手段と、
　通常表示モードのときも倍角表示モードのときも前記表示手段の行方向全体に亘り前記コモン電極を所定の順番に走査するコモンドライバ回路を有し、通常表示モードのときは、前記通常表示用パターンを前記パターン記憶手段から読み出して前記表示手段に前記空白行を挟んで上下に分けて通常パターンを、倍角表示モードのときは、前記パターン記憶手段から表示すべき倍角パターンを表示可能な複数の前記倍角表示用パターンを読み出して前記表示手段に前記空白行を倍角表示用パターンの表示領域として使用して前記倍角パターンを、選択的に表示させる制御手段と、
　を備えたことを特徴とする倍角パターン表示装置。
【請求項２】
　前記パターン記憶手段は、前記倍角表示用パターンとして、上下に分割され適宜組み合せることにより前記通常表示用パターンの縦倍角の大きさの倍角パターンを構成する複数の前記倍角表示用パターンを記憶し、
　前記制御手段は、倍角表示モードのとき、前記パターン記憶手段から前記通常表示用パターンに対応する上下に分割された前記倍角表示用パターンを選択的に読み出して倍角パターンを表示させることを特徴とする請求項１記載の倍角パターン表示装置。
【請求項３】
　前記表示手段は、液晶表示手段であり、
　前記空白行に対応する走査ラインの隣接する少なくとも２本には同じコモン信号が印加されていることを特徴とする請求項１乃至２記載の倍角パターン表示装置。
【請求項４】
　前記パターン記憶手段の前記倍角表示用パターンは、前記通常表示用パターンを上下方向に２倍に拡大した縦２倍角のパターンであることを特徴とする請求項１乃至２記載の倍角パターン表示装置。
【請求項５】
　前記倍角パターンを表示するための倍角表示用パターンは、上下に非表示行を有し、前記通常パターン表示時の空白行表示領域において所定のパターン表示を行うことを特徴とする請求項１乃至２記載の倍角パターン表示装置。」
２．刊行物 
　原査定の拒絶の理由に引用された本願出願前に頒布された刊行物である特開昭５２−１３２７９３号公報（以下、「引用刊行物」という。）には、図面とともに、次の事項が記載されている。
ａ．「この発明は例えば表示ランプ、反転型表示器のような配列された表示素子群を複数個の表示ユニットに区分し、この区分を基本として大小様々なパターンを表現する表示装置に関するものである。」（１ページ左下欄１３行〜１６行）
ｂ．「基準となる大きさと異なる大きさの文字または絵等を表示する場合には、各表示ユニット２を構成する表示ランプの個々に対応したデータを送り、各表示ランプ１を点灯あるいは消灯させ、複数の単位ユニット２の集合体により情報を表示しなければならなかった。・・・この発明は上記の欠点を除去し、・・・基準と異なる大きさの文字・・・等の表示を一つの送信信号により容易に行うことのできる表示装置を提供しようとするものである。」（２ページ左上欄１０行〜右上欄４行）
ｃ．「第４図により表示面５０について説明すれば、表示面５０は表示板５１の全面に・・・表示素子５２を縦方向（Ｘ方向）および横方向（Ｙ方向）に所定の間隔で複数個（多数）配列した表示素子群により形成される。そして、このこの表示素子群を縦方向ｎ個、横方向ｍ個に分け、ｎ・ｍ個の表示ユニット１１、１２、・・・・・１ｍ、２１、２２、・・・・・２ｍ、・・・・・、ｎ１、ｎ２、・・・・・ｎｍに区分している。これらの表示ユニットはそれぞれ第５図に示すように縦方向にｐ個、横方向にｑ個配列された表示素子５２によって構成されている。」（２ページ右上欄６行〜１８行）
ｄ．「これらの表示ユニット単位であらかじめ表示情報を記憶させておくための記憶装置５４は、第６図に示すように構成される。すなわち、表示ユニット・・・を形成する縦方向ｐ個、横方向ｑ個の表示素子５２の数と同等のビット数の縦方向ｘビット、横方向ｙビットの文字パターンを最小単位とし、縦方向２ｘ、３ｘ、・・・・・ｎｘビット、横方向２ｙ、３ｙ、・・・・・ｎｙビットの文字パターンを記憶しておき、これらの文字パターンに前記最小単位毎のＡ００１〜Ａｎのアドレスを付しておく。・・・このインデックス記憶装置５５には、前記記憶装置５４に記憶されている文字パターンのアドレス情報Ａ００１〜Ａｎのうち希望する表示パターンを構成するために必要なアドレス情報を記憶しておく。」（第２ページ左下欄４行〜右下欄６行）
ｅ．「「表示位置１２」は前記表示面５０の表示位置指定信号であり「文字パターンデータＢ０１０」はインデックス記憶装置のアドレスを示す。・・・文字パターンデータＢ０１０がアドレスカウンタ６２にセットされたことによりインデックス記憶装置５５から第７図に示すアドレスＢ０１０に記憶されている内容すなわちＡ１１０がアドレス信号として出力し、記憶装置５４に入力する。これにより、アドレス信号Ａ１１０は第６図に示す記憶装置５４に記憶されている文字パターン「ス」を選択する。かくして記憶装置制御部６３は読出しタイミングパルスを記憶装置５４に出力し、前記選択した文字パターンのデータを読出し、表示データとして表示素子制御部５３へ出力する。同時に記憶装置制御部６３は前記表示データと同期したライトクロック信号を選択ゲート６１へ出力し、前記表示素子位置１２へのゲートとの間にアンド条件が成立し、表示素子制御部５３へ出力されることにより表示面５０へ文字パターン「ス」が表示される。」（３ページ右上欄３行〜左下欄５行）
ｆ．「「表示位置３１信号」により表示面５０の表示位置３１を選択し、また、「文字パターンデータＢ０５０」は第７図に示すインデックス記憶装置５５のアドレスＢ０５０を示し、このＢ０５０以降の記憶内容に相当する記憶装置５４の文字パターンを表示面５０へ表示するものである。これにより・・・表示面５０には「事故発生」のパターンが表示される。なお第７図に示すインデックス記憶装置５５のアドレスＢ０５８の記憶内容であるリターンコードは、・・・表示位置３１によって選択された第４図の表示面５０における表示ユニット３１をｘ方向に＋１増やすためのものである。すなわち、前記「事故発生」パターンを表示する時、表示面５０の表示位置が３１・・・・・３８まで順次増加した後、前述したようなリターンコードがインデックス記憶装置５５から出力されると、記憶装置制御部６３はこのリターンコードを解読し、表示位置選択装置６０へストローブ信号として出力し、前記レジスタ５７に保持されている表示位置３１のデータに対する表示面５０の表示位置３１をｘ方向に＋１増加し４１とする。同時に前記アドレスカウンタ６２を＋１増やし、さらにインデックス記憶装置５５からエンドコードが出力されるまで表示動作を継続する。」（３ページ右下欄８行〜４ページ左上欄１３行）
ｇ．「また以上の記載では各表示ユニットにそれぞれ順次信号を送るようにしているが、これを変形して複数のユニット相当分を一括して、一個のユニットとし１回の信号を送るのみで全体の表示がされるように構成することもできる。」（４ページ右上欄１３行〜１７行）
　上記の記載ａ．乃至記載ｇ．及び図面の記載から、以下の各事項が読みとれる。
（１）記載ａ．乃至記載ｄ．及び第６図の記載から、「記憶装置５４は、縦方向ｘビット、横方向ｙビットの文字パターンを最小単位とし、最小単位毎にアドレスを付して複数記憶しており、また、最小単位の文字パターンとしては、第６図に示されるように、基準となる大きさの文字パターンの他に、縦横２つの最小単位を組み合わせて、基準と異なる大きさの４倍角の文字パターンを形成する場合の部分文字パターンも含まれていること。」
（２）記載ｃ．、記載ｄ．及び第４図の記載から、「第４図の表示ユニット１２乃至１７に表示される「ストップ！」の各文字が、基準となる大きさの文字パターンを表示したものであり、どの表示ユニットについても、最下行の表示素子は全て非表示状態となっていることから、基準となる大きさの文字パターンを記憶している、記憶装置５４の縦方向ｘビット、横方向ｙビットの最小単位の文字パターンにおいても、対応する最下行の全ビットが非表示状態となっていること、また、上段の表示ユニット３１乃至３８及び下段の表示ユニット４１乃至４８を用いて表示される「事故発生」の各文字は、基準と異なる大きさの４倍角の文字パターンを表示したものであり、１つの表示ユニットが、基準と異なる大きさの４倍角の文字パターンの上半部のパターンの更に左右の半分のパターンを表示する上段の表示ユニット３１乃至３８については、いずれも最下行の表示素子の内、少なくとも１つは表示状態となっていることから、対応する記憶装置５４の縦方向ｘビット、横方向ｙビットの最小単位の文字パターンにおいて、対応する最下行のビットを表示に利用していること。」
（３）記載ｅ．乃至記載ｇ．から、「基準となる大きさの文字パターンからなる情報を表示する場合でも、基準と異なる大きさの４倍角の文字パターンからなる情報を表示する場合でも、記憶装置制御部６３は、記憶装置５４から文字パターンデータを読み出し、表示データとして表示素子制御部５３に出力し、表示面５０に文字パターンを表示すること、また、複数の表示ユニットに対する信号の送付を一括して行い、全体の表示を行うこと。」
３．対比
　請求項１に記載された発明（以下、「本願発明」という。）と上記引用刊行物記載の発明（以下、「引用発明」という。）とを対比する。
  引用発明の「記憶装置５４」、「表示面５０」、「基準となる大きさの文字パターン」は、それぞれ、本願発明の「パターン記憶手段」、「表示手段」、「通常パターン」に相当し、
引用発明の「基準と異なる大きさの文字パターン」は、上記２．（１）で指摘したように、４倍角パターンであり、この４倍角パターンを構成する部分パターンとしての最小単位の文字パターンは、「基準となる大きさの文字パターン」と同じドット構成を有するパターンであるから、この部分パターンとしての最小単位の文字パターンが、本願発明の「倍角表示用パターン」に相当する。また、上記２．（２）で指摘したように、引用発明の「基準となる大きさの文字パターン」は、最下行の表示素子が非表示状態となっており、また、４倍角パターンの部分パターンである最小単位の文字パターンは、上段の部分パターンの最下行も表示に利用しているものであるから、引用発明は、「基準となる大きさの文字パターン」を用いた通常の表示の際には、パターンの最下行に相当する空白行を挟んだ表示がなされ、また、部分パターンとしての最小単位の文字パターンを組み合わせた倍角表示の際には、上記空白行（最下行）を倍角表示の表示領域として使用しているものである。また、引用発明の「記憶装置制御部６３」は、通常の表示、倍角表示の双方の場合に、記憶装置５４から文字パターンデータを読み出し、表示面５０に文字パターンを選択的に表示するものであるから、本願発明の「制御手段」に相当し、引用発明の「表示装置」は、「記憶装置５４」、「記憶装置制御部６３」、「表示面５０」等から構成され、倍角表示を行うものであるから、本願発明の「倍角パターン表示装置」に相当するものである。
  また、本願発明の「コモンドライバ回路」と引用発明の「表示素子制御部５３」は、ともに、表示手段全体に亘り表示制御を行うものであるから、「表示制御回路」に相当する。
　以上より、両者は、
「所定の文字、記号等に関する通常パターンを空白行を挟んで少なくとも２行分表示可能な表示手段と、
　前記通常パターンを表示するための通常表示用パターンと、該通常表示用パターンと同じドット構成からなる表示用パターンであって上下あるいは左右の少なくとも一方向に複数個組み合せて文字、記号等に関する倍角パターンを表示することができる倍角表示用パターンとを記憶するパターン記憶手段と、
　表示手段全体に亘り表示制御を行う表示制御回路を有し、通常表示モードのときは、前記通常表示用パターンを前記パターン記憶手段から読み出して前記表示手段に前記空白行を挟んで上下に分けて通常パターンを、倍角表示モードのときは、前記パターン記憶手段から表示すべき倍角パターンを表示可能な複数の前記倍角表示用パターンを読み出して前記表示手段に前記空白行を倍角表示用パターンの表示領域として使用して前記倍角パターンを、選択的に表示させる制御手段と、
　を備えたことを特徴とする倍角パターン表示装置」
　の点の構成で一致し、以下の点で相違する。
［相違点１］　　
　本願発明が、所定数のコモン電極、セグメント電極、及び、表示制御回路としてコモンドライバ回路を有しているのに対し、引用発明はこのような構成を有していない点。
［相違点２］　
 本願発明が、パターン記憶手段に格納されるパターンとして、図形を含むとともに、通常パターンと同一の文字、記号等を表示できる倍角パターンを含んでいるのに対し、引用発明はこの点の記載がない点。
４．当審の判断
　上記各相違点について検討する。
 ［相違点１］について
　コモン電極、セグメント電極、コモンドライバ回路を設けた表示回路は、従来周知のものであり（例えば、特開昭５７−１００４８２号公報参照）、この点は、周知の構成を採用したか否かの差異にすぎないものと認められる。
 「相違点２」について
　図形を格納パターンに含めることは、例示するまでもなく周知の事項であり、また、通常パターンと同一の文字、記号等を表示できる倍角パターンをフォントメモリ中に格納しておくことも従来周知のこと（例えば、特開平１−２２６３４９号公報、１ページ右下欄から２ページ左上欄「従来の技術及びその課題」の項、参照）であるから、この点は、周知の事項を記載したか否かの差異にすぎない。
  そして、本願発明による効果も、引用刊行物の記載から当業者が容易に予測しうる範囲のものにすぎない。
５．むすび
 　以上のとおり、本願発明は、引用刊行物記載の発明及び周知技術に基づいて、当業者が容易に発明をすることができたものであり、特許法２９条第２項の規定により特許を受けることができない。
  そして、請求項１に係る発明（「本願発明」）が、特許を受けることができないものであるから、請求項２乃至請求項５に係る発明について審理するまでもなく、本願は拒絶すべきものである。
　よって、結論のとおり審決する。